(57)【特許請求の範囲】
【請求項１】
気流を吹き出す吹出し口と、
前記吹出し口から吹き出す気流の風向を変える風向板と、
室内の障害物の位置を検出する障害物検出部と、
前記室内のコーナの位置を検出する壁検出部と、
前記風向板の方向を変更する気流制御部と、を有し、
前記気流制御部は、前記壁検出部で検出したコーナ間で前記検出した障害物を避ける方向があると判定すると、前記障害物検出部で検出した障害物に対して、前記風向板を前記障害物よりも上方で、且つ、左右方向において前記障害物を避ける方向に向ける
ことを特徴とする空気調和機。
【請求項２】
前記気流制御部は、前記検出したコーナ間で前記検出した障害物を避ける方向が複数ある場合、前記風向板の風向を複数に分ける
ことを特徴とする請求項１に記載の空気調和機。
【請求項３】
前記空気調和機は、さらに、
前記検出された障害物が気流を通り抜ける形状であるか否かを検出する通り抜け可否検出部を有し、
前記気流制御部は、前記検出された障害物が気流を通り抜ける形状である場合、前記障害物を避ける風向の制御をしない
ことを特徴とする請求項１に記載の空気調和機。
【請求項４】
前記空気調和機は、さらに、前記室内の人の位置を検知する人検出部を有し、
前記壁検出部は、前記風向板の水平方向の向きにおいて、前記吹出し口の前方側の右のコーナの方向と、前記吹出し口の前方側の左のコーナの方向と、前記人検出部で検出した人の位置とに基づいて前記室内の壁の位置を検出する
ことを特徴とする請求項１に記載の空気調和機。
【請求項５】
前記空気調和機は、さらに、前記室内を撮像する撮像部を有し、
前記障害物検出部は、前記撮像部で撮影された画像に基づいて前記障害物を検出する
ことを特徴とする請求項１に記載の空気調和機。
【請求項６】
前記撮像部は、可視光を除去するフィルタと、前記室内を撮影する撮像部本体とを有し、
前記空気調和機は、さらに、前記フィルタを前記撮像部本体の前面に位置させた状態で前記撮像部本体によって室内を撮影する第１の撮影モードと、前記フィルタを前記撮像部本体の前面に位置させない状態で前記撮像部本体によって室内を撮影する第２の撮影モードとを有する撮像制御部を有する
ことを特徴とする請求項５に記載の空気調和機。
【請求項７】
前記空気調和機は、前記室内の表面温度を検出する赤外線センサを備え、
前記障害物検出部は、前記赤外線センサからの熱画像データに基づいて前記障害物を検出する
ことを特徴とする請求項１に記載の空気調和機。
【発明の詳細な説明】
【技術分野】
【０００１】
本発明は、気流が通る経路に適切に風向を制御できる空気調和機に関する。
【背景技術】
【０００２】
空気調和機で室内の温度調整を適切に行うためには、室内の空気を循環させるサーキュレーションを確保することが重要であることが知られている。例えば、冷たい空気は室内の下方に滞留し易い。特許文献１には、室内機（送風機）と輻射パネルとを備え、室内のサーキュレーションを確保することが記載されている。
【先行技術文献】
【特許文献】
【０００３】
【特許文献１】特開２００５−１４０３８４号公報
【発明の概要】
【発明が解決しようとする課題】
【０００４】
特許文献１に記載の例では、寝具のある寝室の空調の例が示されているが、例えば、リビングダイニング（居間と食事をする部屋を分けずにひと続きとした部屋）およびキッチンが一部屋とした間取りでは、室内に多数の家具等が配置されている。このため、室内の家具等が障害物となり、室内の空気を循環させるサーキュレーションを確保することが難しいことが多々ある。
【０００５】
本発明は、前記の課題を解決するための発明であって、気流が通る経路に適切に風向を制御できる空気調和機を提供することを目的とする。
【課題を解決するための手段】
【０００６】
前記目的を達成するため、本発明の空気調和機は、気流を吹き出す吹出し口と、吹出し口から吹き出す気流の風向を変える風向板と、室内の障害物の位置を検出する障害物検出部と、室内のコーナの位置を検出する壁検出部と、風向板の方向を変更する気流制御部と、を有し、気流制御部は、壁検出部で検出したコーナ間で検出した障害物を避ける方向があると判定すると、障害物検出部で検出した障害物に対して、風向板を障害物よりも上方で、且つ、左右方向において障害物を避ける方向に向けることを特徴とする。本発明のその他の態様については、後記する実施形態において説明する。
【発明の効果】
【０００７】
本発明によれば、気流が通る経路に適切に風向を制御できる。
【図面の簡単な説明】
【０００８】
【図１】本実施形態に係る空気調和機の外観構成を示す説明図である。
【図２】本実施形態に係る空気調和機の室内機の構成を示す説明図である。
【図３】本実施形態に係る空気調和機の室外機の構成を示す説明図である。
【図４】本実施形態に係る空気調和機のリモコンの外観を示す説明図である。
【図５】本実施形態に係る空気調和機のセンサ部の構成を示す説明図である。
【図６】本実施形態に係る可視光カットフィルタを有する撮像部の構成を示す説明図である。
【図７】可視光カットフィルタを介して撮像した場合の波長域の一例を示す説明図である。
【図８】本実施形態に係る空気調和機の制御部の構成を示す説明図である。
【図９】制御部の処理の全体概要を示すフローチャートである。
【図１０】撮像制御部、障害物検出部および通り抜け可否検出部の処理を示すフローチャートである。
【図１１】障害物検出部の物体の有無の判定処理を示す説明図である。
【図１２】通り抜け可否検出部の物体の重心を用いた判定処理を示す説明図である。
【図１３】通り抜け可否検出部の物体の積算面積を用いた判定処理を示す説明図である。
【図１４】各種家具の下端からの高さによる積算面積の割合を示す説明図である。
【図１５】物体が障害物であるか否かの判定処理の一例を示す説明図である。
【図１６】気流制御部の気流モード選択処理を示すフローチャートである。
【図１７】気流が通る経路に一時停止制御した場合を示す説明図である。
【図１８】室内の障害物の配置に基づき気流が通る経路に一時停止制御を示す説明図である。
【図１９】室内のコーナ間外に人を検出した場合のスイング制御の例を示す説明図である。
【図２０】障害物の下側を気流が通り抜けできる場合の一時停止制御を示す説明図である。
【図２１】壁近傍に家具がある場合の一時停止制御を示す説明図である。
【図２２】冷房運転時の気流サーキュレーション機能を示す説明図である。
【図２３】冷気だまりを示す説明図である。
【図２４】室内の家具配置の具体的な例を示す説明図である。
【図２５】室内の人、障害物の位置および形状の検出を示す概要図である。
【図２６】撮像部の水平方向の向きの移動と視野角を示す説明図である。
【図２７】撮像制御部の処理を示すフローチャートである。
【図２８】人検出部の人位置判定処理を示すフローチャートである。
【図２９】人検出部の人位置判定処理を示す説明図である。
【図３０】壁検出部のコーナ方向判定処理を示すフローチャートである。
【図３１】壁検出部のコーナ方向判定処理で行う画像処理を示す図である。
【図３２】壁検出部のコーナ方向判定処理での室内の平面を示す説明図である。
【図３３】壁検出部のコーナ方向判定処理を示す説明図である。
【図３４】壁検出部の拡がり範囲判定処理を示すフローチャートである。
【図３５】壁検出部の拡がり範囲判定処理での室内配置を示す平面図である。
【発明を実施するための形態】
【０００９】
本発明を実施するための実施形態について、適宜図面を参照しながら詳細に説明する。最初に本願発明の概要について説明する。
【００１０】
図１は、本実施形態に係る空気調和機の外観構成を示す説明図である。空気調和機Ａは、例えばヒートポンプ技術等を用い、冷房等室内の空気調和を行う装置である。空気調和機Ａは、大別して、室内の壁や天井、床等に設置される室内機１００と、屋外等に設置される室外機２００と、赤外線や電波、通信線等により室内機１００と通信してユーザが空気調和機Ａを操作するためのリモコン４０（リモートコントローラ、空調制御端末）と、室温や外気温等の空気調和機の制御や表示に用いる情報を入手するための各種のセンサ部５０（図５参照）とからなる。また、室内機１００と室外機２００とは、冷媒配管と通信ケーブル（図示せず）で接続されている。さらに、室内機１００は、センサ部５０のひとつのセンサとして、室内を撮影する撮像部１１０を有している。
【００１１】
室内の温度を検出する温度検知部１３０を撮像部１１０の一方に配置している。このような配置により、撮像部１１０と温度検知部１３０の検出対象までの距離や角度の検出誤差を減らすことができる。近赤外線光源１２０を撮像部１１０の他方に配置している。このような配置により、撮像部１１０の検出範囲や角度と近赤外線光源１２０の照射範囲や角度の差を減らすことができる。すなわち、撮像部１１０を挟んで両側に温度検知部１３０と近赤外線光源１２０を配置することが望ましい。
【００１２】
さらに、本実施形態では撮像部１１０または温度検知部１３０の横に足元モニター１４０を配置している。そして、後述するように、撮像部１１０または温度検知部１３０によって足元を検出した時、または、足元を推定した時に足元モニター１４０を点灯し、足元を検出できたことをユーザが確認することができる。なお、この足元モニター１４０は室内機１００だけではなく、リモコン４０に配置するようにしてもよい。
【００１３】
＜室内機＞
図２は、本実施形態に係る空気調和機の室内機の構成を示す説明図である。室内機１００は、熱交換器１０２、送風ファン１０３、左右風向板１０４（風向板）、上下風向板１０５（風向板）、前面パネル１０６、筐体ベース１０１、各種のセンサ部５０（図５参照）等を有している。センサ部５０のうち、撮像部１１０、近赤外線光源１２０、温度検知部１３０および足元モニター１４０を吹出し風路上面１０９ｃの上方であって、ドレンパン９９の下方の空間に配置している。これらのセンサ等は居住空間に向くよう斜め下方に傾けて設置する必要があり、本実施形態では、基板自体を斜め下方に向けて設置して、これらのセンサ等を基板に直接接続している。なお、必ずしも撮像部１１０、近赤外線光源１２０、温度検知部１３０および足元モニター１４０の全てを室内機１００に搭載する必要はなく、実施形態に合わせて適宜室内機１００に搭載するセンサ等を選択すればよい。また、センサの前面には光透過部材１５０を配置するとよい。
【００１４】
熱交換器１０２は、複数本の伝熱管１０２aを有し、送風ファン１０３により室内機１００内に取り込まれた室内の空気を、伝熱管１０２ａを通流する冷媒と熱交換させ、当該空気を冷却または加熱等するように構成されている。なお、伝熱管１０２ａは、前記した冷媒配管に通じていて、公知の冷媒サイクルの一部を構成している。送風ファン１０３は、風速を調節可能である。左右風向板１０４は、その基端側が室内機下部に設けた回転軸を支点にして左右風向板用モータにより正逆回転される。そして、左右風向板１０４の先端側が室内側を向いていて、これにより左右風向板１０４の先端側は水平方向に振れるように動作可能である。上下風向板１０５は、室内機１００の長手方向両端部に設けられた回転軸を支点にして上下風向板用モータにより正逆回転される。これにより、上下風向板１０５の先端側は、上下方向に振れるように動作可能である。前面パネル１０６は、室内機の前面を覆うように設置されており、下端部の回転軸を支点として前面パネル用モータにより正逆回転可能である。ちなみに、前面パネル１０６は、回転動作を行うことなく、室内機１００の下端に固定されたものとしてもよい。
【００１５】
室内機１００は、送風ファン１０３が回転することによって、空気吸込み口１０７およびフィルタ１０８を介して室内の空気を室内機１００内に取り込み、この空気を熱交換器１０２で熱交換する。これにより、当該熱交換後の空気は、熱交換器１０２で冷却され、あるいは、加熱される。この熱交換後の空気は吹出し風路１０９aに導かれる。さらに、吹出し風路１０９ａに導かれた空気は、空気吹出し口１０９ｂ（吹出し口）から室内機外部に送り出されて室内を空気調和する。そして、この熱交換後の空気吹出し口１０９ｂから室内に吹き出す際には、その水平方向の風向きは左右風向板１０４により調節され、その上下方向の風向きは上下風向板１０５により調節される。
【００１６】
＜室外機＞
図３は、本実施形態に係る空気調和機の室外機の構成を示す説明図である。空気調和機Ａ（図１参照）の室外機２００には、冷媒を圧縮する圧縮機２０２、高圧の冷媒を減圧する膨張弁、冷媒の流路を切り替える四方弁、外気と冷媒とを熱交換する熱交換器２０６等の装置を備えている。室外機２００は、仕切り板２１１と電装品箱２１０とリード線支持部品２０９とにより、熱交換器室２０４と機械室２０５とを区分（分割）している。熱交換器室２０４には、冷媒配管を循環する冷媒の外気との熱交換を促進するプロペラファン２０７とその駆動用のモータ、プロペラファン２０７を回転自在に支持するファン支柱、および外気と循環する冷媒の熱交換を行う熱交換器２０６が配設されている。機械室２０５には、循環する冷媒を高温高圧のガス冷媒にする圧縮機２０２、常温・高圧の液状冷媒を低温・低圧の液状冷媒にする電動膨張弁、電気部品のリアクタ、および、冷媒が流れる冷媒配管の伝熱管が配設されている。電装品箱２１０には、室外機２００を制御する電装品が収納されており、その上部には電装品蓋が被せられている。
【００１７】
＜リモコン＞
図４は、本実施形態に係る空気調和機のリモコンの外観を示す説明図である。リモコン４０はユーザによって操作され、室内機１００のリモコン受信部Ｑ（図１参照）に対して赤外線信号を送信する。当該信号の内容は、運転要求、設定温度の変更、タイマ、運転モードの変更、停止要求等の様々な指令である。空気調和機Ａ（図１参照）は、これらの信号に基づいて、少なくとも室内の冷房、暖房、除湿、涼快等を行うことができる。また、空気清浄等、その他の空気調和の機能を備えていてもよい。空気調和機Ａは、室内の空気を様々に調整することができる。なお、涼快とは、自動で室温と湿度をコントロールして、冷やしすぎず快適さを保つ機能をいい、暑いうちは室温を中心に下げてすばやく涼しく、その後は湿度中心のコントロールで冷えすぎを抑える。
【００１８】
リモコン４０の表示画面４１には、図１７などで説明する足元気流が実行中であるか否かを示す旨４２が表示されている。具体的には、表示内容には、足元気流のほか、障害物上気流等がある。
【００１９】
自動運転ボタン４３を押すことで、センサ部５０（図５参照）の検知結果に基づいて、自動で冷房、暖房、除湿等を選択し、設定温度等も調整する自動運転を開始する。さらに、本実施形態では、自動運転ボタン４３を押すことで、障害物検出部６４（図８参照）および通り抜け可否検出部６５（図８参照）の実行を開始し、風向制御に反映するようにしている。そのため、ユーザは１回の操作で運転を開始でき、別途、障害物検出部６４および通り抜け可否検出部６５の実行を操作する必要がない。
【００２０】
また、本実施形態では、リモコン４０内部のボタン（図示せず）によって自動運転ボタン４３を押しても障害物検出部６４および通り抜け可否検出部６５を実行させないよう、または、これらの検知結果に基づく風向制御を実行させないよう操作できるようにしている。
【００２１】
さらに、本実施形態では、自動運転ボタン４３に加えて、足元気流ボタン４４（３Ｄ足元気流ボタン）を専用に設けている。本実施形態では、足元気流ボタン４４をリモコン４０の表面に設けており、暖房運転ボタン等で運転を開始するユーザに対しても、簡単に足元気流運転を開始できるようにしている。つまり、本実施形態では、少なくとも足元気流ボタン４４で、人検出部６２、壁検出部６３、障害物検出部６４および通り抜け可否検出部６５の検出結果に基づく風向制御を開始できるようにしている。なお、足元気流ボタン４４はリモコン４０の内部に配置するようにしてもよい。
【００２２】
本実施形態では、停止ボタンの下に、使用頻度が高い機能についての専用ボタンとして、足元気流ボタン４４と間取り気流ボタン４５を配置している。ちなみに、間取り気流ボタン４５は撮像部１１０によって室内の間取りを検知し、間取りに合わせたスイング運転を開始するボタンである。
【００２３】
＜センサ部＞
図５は、本実施形態に係る空気調和機のセンサ部の構成を示す図である。センサ部５０は、室内機１００と室外機２００に備えられている。センサ部５０は、室温センサ、人、物体および室内の表面温度を検知する温度検知部１３０（図１参照）、外気温センサ、湿度センサ、冷媒配管温度センサ、圧縮機温度センサ、撮像部１１０（図１参照）、時計等により構成される。撮像部１１０は、図１に示すように、前面パネル１０６（図１参照）の左右方向中央の下部に設置されている。
【００２４】
温度検知部１３０がサーモパイルである場合、例えば横×縦が１×１画素、４×４画素、１×８画素で構成され、前面パネル１０６の左右方向中央の下部に設置されている。これ以外にも、赤外線センサ、近赤外線センサ、サーモグラフィーを使用してもよい。温度検知部１３０で検出するのは、室内の平均的な表面温度に限られず、検出範囲の内、人を除いた領域の室内の表面温度、人の着衣の表面温度、人の皮膚の温度、床の表面温度でもよい。
【００２５】
＜撮像部＞
図６は、本実施形態に係る可視光カットフィルタを有する撮像部の構成を示す説明図である。図６は撮像部１１０を上方からみた図である。撮像部１１０は、可視光および近赤外線を撮像できるものを用いている。従来、人を検出する場合等の撮像部では、撮像部内部に、赤外線カットフィルタを取り付けているが、本実施形態では、近赤外線をカットしないようにするために取り付けていない。可視光カットフィルタ１１２を撮像部本体１１１の回りに配置し、可視光カットフィルタ１１２を回転させて撮像部本体１１１の前に移動させる構造としている。
【００２６】
具体的には、撮像部１１０は、ＣＣＤ（Charge Coupled Device）イメージセンサである撮像部本体１１１の周囲に、開口部１１３を有する円環状の可視光カットフィルタ１１２を配置している。可視光カットフィルタ１１２は、フィルタ用モータ１１４でフィルタ用ギア１１５（フィルタ可動機構）を介して、撮像部本体１１１の周囲を回転することができる。これにより、通常の撮像をするときは、可視光カットフィルタ１１２の開口部１１３を介して撮影することができる。一方、後記する物体を検出する場合には、可視光カットフィルタ１１２を回転させて、可視光カットフィルタ１１２を介して、撮像部本体１１１と連動して駆動できる。また、必要に応じて、近赤外線光源１２０（図１参照）を撮影前に点灯し、近赤外線を照射することにより、さらに鮮明に近赤外線の反射光を撮像することができる。
【００２７】
図７は、可視光カットフィルタを介して撮像した場合の波長域の一例を示す説明図である。紫外線および可視光がカットされ、近赤外線近傍（例えば、８５０ｎｍ）の波長域を利用して撮像することができる。近赤外線は、物体の色彩や模様が反映されず、物体の形状だけが反映される特徴がある。これにより物体の形状を鮮明にとらえることができる。また、色彩情報を使用しないので、必要とされる画像上の情報量が減り、物体を検出する際の精度向上につながる。
【００２８】
図２６は、撮像部の水平方向の向きの移動と視野角を示す説明図である。図２６を参照して、撮像部１１０の水平方向の向きの移動と視野角について説明する。図２６は、室内機１００および当該室内機１００が設けられている室内を鉛直上方側からみた概念図であり、図２６の上側は当該室内機１００が取り付けられている壁側となり、下側は室内機１００が取り付けられている室内の室内機１００の前方側の空間となる。
【００２９】
この例で、撮像部１１０の水平方向の視野角はおよそ６０°である。よって、撮像部１１０の水平方向の向きが真正面（方向３１１）にあるときに撮像部１１０で撮像すれば、矢印の範囲３１２の室内の画像の撮像を行うことができる。また、方向３１１から撮像部１１０の向きを室内機１００に向かって右に例えば４５°移動させ、方向３１３の向きで撮像すれば、矢印の範囲３１４の室内の画像の撮像を行うことができる。さらに、方向３１１から撮像部１１０の向きを室内機１００に向かって左に例えば４５°移動させ、方向３１５の向きで撮像すれば、矢印の範囲３１６の室内の画像の撮像を行うことができる。これにより、本例では室内機１００が設置された室内を合計で約１５０°の視野角で撮像することができる。また、矢印の範囲３１２と矢印の範囲３１４とは一部（約１５°の範囲）重なって画像を取得することができ、同様に矢印の範囲３１２と矢印の範囲３１６とは一部（約１５°の範囲）重なって画像を取得することができる。また、前記の約１５０°の視野角で室内の画像を撮像するためには、方向３１３から方向３１５までの範囲で撮像部１１０の向きを水平方向に変動すればよい。なお、壁検出部６３（図８参照）が検出した室内のコーナは、コーナ３７３と示されている。また、コーナ３７３の方向は方向３７６、方向３７７である。他の符号については後記する。
【００３０】
＜制御部＞
図８は、本実施形態に係る空気調和機の制御部の構成を示す説明図である。制御部６０は、電装品に備えられている。制御部６０は、送受信部４７を介するリモコン４０からの情報と、センサ部５０からの情報に基づき、室内機１００の送風ファン１０３、左右風向板１０４、上下風向板１０５を駆動し、室外機２００の圧縮機２０２、プロペラファン２０７を駆動する。
【００３１】
制御部６０は、後記する第１の撮影モードおよび第２の撮影モードで撮像部１１０を制御する撮像制御部６１（図２６、図２７参照）と、撮像部１１０で撮影された画像に基づいて、室内の人の位置を検出する人検出部６２（図２８、図２９参照）と、撮像部１１０で撮影された画像に基づいて、室内の壁位置を検出する壁検出部６３（図３０〜図３５参照）と、可視光カットフィルタ１１２を介して撮像部１１０で撮影された近赤外線画像に基づいて、気流が通る経路において障害物となる物体およびその位置（障害物の位置）を検出する障害物検出部６４（図１０、図１１参照）と、障害物検出部６４で検出された障害物が気流を通り抜ける形状であるか否かを検出する通り抜け可否検出部６５（図１２〜図１４参照）と、気流が通り抜け可能である領域に気流を送風する気流制御部６６（図１５〜図２５参照）と、記憶部６７とを有する。
【００３２】
＜撮像制御部＞
図２７は、撮像制御部の処理を示すフローチャートである。図２６を参照して、撮像制御部６１の撮像処理について説明する。撮像部１１０での室内の撮像は所定時間ｔ１（一例を挙げれば１時間）ごとに行う。すなわち、撮像制御部６１（図８参照）は、前回の撮像部１１０による撮像処理の終了から所定時間ｔ１を経過したときは（処理Ｓ１，Ｙｅｓ）、ステッピングモータを制御して取付け部材を駆動することにより、例えば一定の角速度で撮像部１１０の水平方向の向きの移動を開始する（処理Ｓ２）。この動作は、例えば図２６に示す向き３１８側から向き３１７側に向かって開始する。そして、撮像制御部６１は、撮像部１１０の向きが方向３１５に達したときは（処理Ｓ３，Ｙｅｓ）、必要に応じて一時停止するなどして撮像部１１０で撮像を行い、画像データを「左画像」（左画面）として記憶部６７（図８参照）に記憶する（処理Ｓ４）。次に、撮像部１１０の向きが方向３１１に達したときは（処理Ｓ５，Ｙｅｓ）、撮像制御部６１は、必要に応じて一時停止するなどして撮像部１１０で撮像を行い、画像データを「中画像」（中画面）として記憶部６７に記憶する（処理Ｓ６）。次に、撮像部１１０の向きが方向３１３に達したときは（処理Ｓ７，Ｙｅｓ）、撮像制御部６１は、必要に応じて一時停止するなどして撮像部１１０で撮像を行い、画像データを「右画像」（右画面）として記憶部６７に記憶する（処理Ｓ８）。
【００３３】
そして、図２６に示すように撮像部１１０の向きが方向３１３に達したときは、ステッピングモータの回転方向を逆転して、方向３１３から方向３１８に向かって撮像部１１０の水平方向の向きの変動を開始する（処理Ｓ９）。この方向３１３から方向３１８に向かって撮像部１１０が移動している間は、撮像部１１０による撮像は行わない。そして、方向３１５に撮像部１１０の向きが戻ったときは（処理Ｓ１０，Ｙｅｓ）、その時刻を記憶部６７に記憶し、ステッピングモータを停止して（処理Ｓ１１）、リターンする。時刻の記憶は画像データを「右画像」として記憶部６７に記憶した後（処理Ｓ８）に行ってもよい。
【００３４】
また、撮像制御部６１は、可視光カットフィルタ１１２と、室内を撮影する撮像部本体１１１（図６参照）とを有する撮像部１１０を制御する。この際に、撮像制御部６１は、可視光カットフィルタ１１２を撮像部本体１１１の前面に位置させた状態で撮像部本体１１１によって室内を撮影する第１の撮影モードと、可視光カットフィルタ１１２を撮像部本体１１１の前面に位置させない状態で撮像部本体１１１によって室内を撮影する第２の撮影モードとを有する。
【００３５】
＜人検出部＞
人検出部６２は、可視光カットフィルタ１１２（図６参照）を介さない撮像部１１０で撮影（第２の撮影モードにより撮影）された画像に基づいて、室内の人の位置を検出する。撮像部１１０以外にも、赤外線センサ、近赤外線センサ、サーモグラフィー、焦電型センサ、超音波センサ、騒音センサを使用してもよい。人検出部６２で検出するのは、人の有無に限られず、位置、活動量、生活シーン等を検出してもよい。
【００３６】
人の位置は、撮像部１１０で撮像された画像から人の頭部等の位置を検出し、頭部の位置を人の位置としている。さらに、本実施形態では、人の位置に加え、人の足元の位置も検出している。人の足元の位置は、撮像部１１０で撮像された画像に基づいて、直接人の足元の位置を検出するようにしてもよいし、人の頭部等の位置を検出し、人の頭部等の位置から人の足元の位置を推定するようにしてもよい。
【００３７】
＜壁検出部＞
壁検出部６３は、可視光カットフィルタ１１２を介さない撮像部１１０で撮影（第２の撮影モードにより撮影）された画像に基づいて、画像内のエッジの抽出し、太く長いエッジを抽出し、直線を延長し、交点を作成し、交点の重心点を消失点とする。このことにより、壁検出部６３は、室内のコーナ３７３を検出し、検出したコーナ３７３（図２６参照）を壁と壁あるいは壁と天井あるいは壁と床の接線とし、室内の壁や天井や床の面の位置を検出している。
【００３８】
なお、人検出部６２で検出した人の位置を累積し、人の位置の累積値に基づいて、コーナ３７３の検出結果を補完してもよい。すなわち、人の位置の累積値よりも外側に室内の壁が存在し、人の位置の累積値よりも内側に室内の壁が存在することはないため、室内の壁が人の位置の累積値よりも内側の位置で検出された場合は、当該検出結果を除外するようにしてもよい。詳細については、図３４および図３５を参照して後記する。
【００３９】
＜障害物検出部＞
障害物検出部６４は、可視光カットフィルタ１１２を介して撮像部１１０で撮影（第１の撮影モードにより撮影）された画像から、気流が通る経路の障害物となる物体およびその位置を検出する。具体的には、室内にある、テーブル、こたつ、椅子、ソファ、本棚、食器棚、箪笥等の家具や、壁、床、天井、戸、窓、小梁、欄間の建具等を検出する。詳細については図１１を参照して後記する。
【００４０】
＜通り抜け可否検出部＞
通り抜け可否検出部６５は、障害物検出部６４が検出した物体の下方等の輝度を検出し、輝度が高ければ近赤外線を反射する物体があると推定し、輝度が低ければ、例えば、物体の足元は通り抜け可能であると推定することができる。これ以外にも、各種物体の具体的な通り抜け判定手段として下記がある。
【００４１】
（１）物体の重心を用いる方法（図１２参照）
通り抜け可否検出部６５は、障害物検出部６４が検出した物体の下端からの重心位置の高さＬと物体の高さＨに基づき、脚長家具であるか脚短家具であるか否かを判定する。具体的には、通り抜け可否検出部６５は、物体の重心位置の高さＬの物体の高さＨに対する割合が、所定値（例えば、７０％）以上である場合に脚長家具と判定し、気流が通り抜けできると推定する。また、通り抜け可否検出部６５は、物体の重心位置の高さＬの物体の高さＨに対する割合が、所定値未満である場合に脚短家具と判定し、気流が通り抜けできないと推定する。詳細については、図１２を参照して後記する。
【００４２】
（２）物体の積算面積を用いる方法（図１３参照）
通り抜け可否検出部６５は、障害物検出部６４が検出した物体の下端から所定の高さＭまでの物体の積算面積が全面積に占める割合と、物体の下端からの所定の高さＭの物体の高さＨに対する割合とに基づき、脚長家具であるか脚短家具であるか否かを判定する。具体的には、物体の下端から物体の面積を積算していき、積算した面積が物体の全面積の例えば３０％（＝所定値）に達するような高さをＭとする。高さＭの物体の高さＨに対する割合が、所定値（例えば、５０％）以上である場合、通り抜け可否検出部６５は、脚長家具と判定し、気流が通り抜けることができると推定する。また、通り抜け可否検出部６５は、物体の全面積に対する積算面積が所定値における、物体の下端からの高さＭの物体の高さＨに対する割合が、所定値未満である場合、脚短家具と判定し、気流が通り抜けできないと推定する。詳細については、図１３を参照して後記する。
【００４３】
本実施形態の通り抜け可否検出部６５が、画像内の所定の範囲内に占める物体の面積の割合が所定値以下である場合に、物体の足元は通り抜け可能であると推定することで、物体の方向に送風した場合に通り抜けられない程度を推定することが可能となる。通り抜けられない物体に対して単位時間当たりの供給熱量を下げることが可能となる。また、通り抜けられる方向に対して単位時間あたりに供給する熱量を上げることが可能となり、快適性を向上させることが可能となる。
【００４４】
図１５は、物体が障害物であるか否かの判定処理を示す説明図であり、（ａ）および（ｂ）は異なる大きさの物体を示すものである。物体が障害物であるか否かは、例えば、物体の幅、高さ、または、面積で判定するとよい。例えば、物体の幅で判定する場合は、所定値未満の場合、気流が通る経路の障害物でないと判定し、物体の高さが所定値以下である場合、気流が通る経路の障害物でないと判定する。
【００４５】
物体の大きさと室内機１００から物体までの距離に基づいて障害物を判断するとよい。具体的には、物体の画面の面積および物体までの距離から物体の面積、横幅または縦幅の絶対値を算出し、物体の面積、横幅または縦幅が所定値以上であるか否かに基づいて、物体が障害物であるか否か判定するとよい。
【００４６】
面積で判定する場合について、図１５を参照して説明する。撮像部１１０で撮影した左画面、中画面、右画面をひとつにまとめた室内の画像の全幅をＸとし、全高さをＹとする。その画像中にある物体の横幅をｘ、縦幅をｙとする。物体が障害物であるか否かは、全画面の面積に対する物体の面積が所定値（例えば、８％）未満の場合、気流が通る経路の障害物でないと判定し、全画面の面積に対する物体の面積が所定値以上の場合、気流が通る経路の障害物であるとして判定するとよい。
【００４７】
図１５（ａ）の場合、ｘ／Ｘが２０％であり、ｙ／Ｙが１５％とすると、全画面の面積に対する物体の面積は３％であり、気流が通る経路の障害物でないと判定される。一方、図１５（ｂ）の場合、全画面の面積に対する物体の面積は１０％であり、気流が通る経路の障害物として判定される。
【００４８】
全ての物体について、風が通り抜けできるか判断しようとすると、マイコンの処理時間が長くなるため、本実施形態では、風の通り抜けに影響を与える程度の大きさの物体について判断するようにしている。すなわち、物体を検出したときに物体の縦方向の長さ、横方向の長さまたはその両方が所定値以上であるか否か判断し、小さなゴミ箱等の所定値以下の物体を検出対象から除外する。このようにすることで、マイコンの処理スピードを向上させることができる。
【００４９】
次に処理内容について説明する。
図９は、制御部の処理の全体概要を示すフローチャートである。制御部６０は、運転を開始すると、人を検出し（処理Ｓ９１）、人の足を検出する（処理Ｓ９２）ことにより、人の位置を把握する。計測から１時間経過していない場合（処理Ｓ９３，Ｎｏ）、処理Ｓ９１に戻る。計測から１時間経過した場合（処理Ｓ９３，Ｙｅｓ）、制御部６０は、通り抜け検出処理を含む物体検出を行う（処理Ｓ９４）。そして、物体検出処理後、再度人を検出し（処理Ｓ９５）、室内のコーナ検出をし（処理Ｓ９６）、人の検出をし（処理Ｓ９７）、最後に間仕切りの開閉を検出し（処理Ｓ９８）、一連の処理を終了する。処理Ｓ９５〜処理Ｓ９８の処理により、人の位置およびコーナ検出に基づいて、室内の大きさを判定している。なお、本実施形態では、撮像部１１０で撮影された画像に基づいて人の位置を把握しているが、撮像部１１０の代わりに、温度検知部１３０または焦電型赤外線センサを用いて人の位置を把握するようにしてもよい。
【００５０】
図１０は、撮像制御部、障害物検出部および通り抜け可否検出部の処理を示すフローチャートである。図１０は、図９の処理Ｓ９４の詳細な処理である。図１０の処理は、制御部６０の処理であるが、撮像制御部６１、障害物検出部６４および通り抜け可否検出部６５の主体を明瞭にして説明する。
【００５１】
障害物検出部６４は、室内に太陽光が照射されているか否か（太陽光有無）を判定する（処理Ｓ９０１）。障害物検出部６４の判定は、光源を検出して、太陽光が室内に入らない状態のとき、または、室内に入り込む太陽光の量が所定値以下であるときに実行するとよい。太陽光には近赤外線も含まれているため、窓から太陽光が入り込む場合、太陽光が照射された場所に物体があると誤検出するおそれがあるからである。そこで、本実施形態では、光源を検出して、太陽光が室内に入らない状態のときに、または、室内に入り込む太陽光の量が所定値以下であるときに実行する。他の太陽光有無の判定方法として、光源そのものの識別をしなくても、時間帯によって太陽が出ていない時間帯に物体検出モードを実行してもよい。なお、ユーザが間違った時間帯を設定した場合、物体検出することができなくなるおそれがあるため、また、白熱灯によっても物体検出の誤検出をするおそれがあるため、光源識別を実行できることが望ましい。
【００５２】
撮像制御部６１は、開口部１１３（図６参照）に可視光カットフィルタ１１２をかけるように移動する（処理Ｓ９０２）。そして、撮像制御部６１は、初期の撮像位置（例えば、左画面の撮影位置）に移動し（処理Ｓ９０３）、近赤外線光源１２０（図１参照）を点灯し、近赤外線を照射する（近赤外線照射ＯＮ）（処理Ｓ９０４）。撮像制御部６１は、室内の撮像（撮影）をし（処理Ｓ９０５）、近赤外線光源１２０を消灯し、近赤外線の照射を停止する（近赤外線照射ＯＦＦ）（処理Ｓ９０６）。
【００５３】
障害物検出部６４は、物体の有無判定を行う（図１１参照）（処理Ｓ９０７）。そして通り抜け可否検出部６５は、障害物検出部６４で検出された物体について、足元通り抜け推定を行う（図１２参照、図１３参照）（処理Ｓ９０８）。
【００５４】
次に、撮像制御部６１は、左画面、中画面、右画面の３方向の撮影が終了したか否かを判定し（処理Ｓ９０９）、３方向の撮影が終了していない場合（処理Ｓ９０９，Ｎｏ）、処理Ｓ９０３に戻る。一方、３方向の撮影が終了している場合（処理Ｓ９０９，Ｙｅｓ）、撮像制御部６１は、可視光カットフィルタ１１２を元の位置に移動する（処理Ｓ９１０）。
【００５５】
図９および図１０の制御フロー、特に、物体検出処理（障害物検出処理、物体検出モード）および通り抜け可否検出は、リモコン４０の自動ボタンを押下すると、自動運転を実行するが、一定時間おきに物体検出モードを実行する。本実施形態の場合は、１時間おきに実行している。なお、物体検出モードを自動運転ボタン４３（図４参照）とは別のボタンによって実行してもよい。
【００５６】
障害物検出部６４で実行する物体検出モードでは、可視光カットフィルタ１１２を有する撮像部１１０を用いる。また、物体検出精度を高める場合、必要に応じて近赤外線光源１２０（例えば、近赤外線ＬＥＤ（Light Emitting Diode））も用いる。撮像部１１０は、前記したように通常の撮像と同じように左右方向に駆動し、室内を撮像する。近赤外線光源１２０は、撮像部１１０による撮像の直前から室内を照射し、撮像部１１０による撮像が終了すると、照射を終了する。撮像部１１０による撮像するタイミングだけ近赤外線光源１２０を照射するようにすることで、物体検出モード実行中に、近赤外線光源１２０により近赤外線を照射し続ける場合に比べて、近赤外線光源１２０の寿命を延ばすことができる。
【００５７】
本実施形態では、撮像部１１０は左方向、中方向、右方向の３回撮像を行うため、近赤外線光源１２０も撮像部１１０による撮像のタイミングに合わせて３回照射をする。そして、障害物検出部６４で撮像された画像の処理を行い、家具等の物体の形状を検出する。
【００５８】
ここで、通常、物体の形状を抽出する場合において、物体の色彩や模様により正確な物体の形状を抽出することができないおそれがある。そこで、本実施形態では、物体検出モード時に可視光カットフィルタ１１２を移動させて撮像部１１０の前面に位置させ、且つ、近赤外線光源１２０を照射させている。近赤外線は、物体の色彩や模様が反映されず、物体の形状だけが反映される特徴がある。この近赤外線の特徴を活かすことで、物体の色彩や模様による誤検出を防ぎ、物体の形状をより正確に検出することができる。このように検出精度を高めることで、物体が、脚付きのテーブルやイス等の風が通り抜けできる形状であるのか、ソファ等の風が通り抜けできない形状であるのかを精度よく判別することができる。
【００５９】
本実施形態の物体検出モードの際、撮像制御部６１は、約８５０ｎｍ付近に波長のピークを持つ近赤外線光源１２０を照射するとよい。撮像した画像は、近赤外線を撮像部１１０の方向に反射するほど白く、撮像部１１０の方向に反射しないほど黒く写る。一般に、居住空間に存在する、木、布、金属、紙等は、表面が粗く、近赤外線はその表面で拡散反射する。拡散反射により撮像部１１０の方向に反射した近赤外線を撮像することで、反射する物体が反射した方向に存在することを検出することができる。このため、近赤外線光源１２０を照射することにより、一般に室内に多く存在する家具の材質を網羅することが可能となり、高い検出精度を得ることが可能となる。
【００６０】
なお、近赤外線光源１２０による約８５０ｎｍ付近にピークを持つ近赤外線は、可視光も含むため、近赤外線光源１２０を点灯しているときは、赤く点灯して見える。このため、点灯中であるか否かを表示する表示部が不要となり、コストを低減することが可能となる。
【００６１】
図１１は、障害物検出部の物体の有無の判定処理を示す説明図である。障害物検出部６４は、撮像制御部６１で撮影した画像をマトリクスに分割し、分割した各領域をセルとして管理している。例えば、マトリクス１１０１は、空気調和機Ａの室内機１００側からみた画像のマトリクスであり、縦５セル×横１０セルとして説明する。各セルの位置は、左右風向および上下風向を制御する場合の位置に対応する。
【００６２】
障害物検出部６４は、画像の輝度値からそこに物体が存在するか否かを判別する。各セル内の数値は、各セル内に占める物体の占有面積の割合を、１〜５で示している。具体的には、０〜２０％未満の占有面積の場合は「１」であり、２０〜４０％未満の占有面積の場合は「２」である。
【００６３】
障害物検出部６４は、室内に常時設置されている家具等の物体であるか否か、たまたま一時的に置かれている物体であるか判別するため、複数回の検出を実施する。具体的には、１時間に１回撮影し、所定回数（例えば、１０回）の検出結果のうち、多数決で物体の形状を特定する。例えば、１０回のうち６回の検出結果で物体であると判別された場合は、常時設置されている物体と認識しその形状を特定する。
【００６４】
図１１に示す例においては、マトリクス１１０１、…、マトリクス１１１０の１０回の検出結果に基づき、多数決結果であるマトリクス１１２０が示されている。この場合、左から２列目から４列目に物体が検出されており、同様に、右から２列目および３列目に物体が検出されている。
【００６５】
図１２は、通り抜け可否検出部の物体の重心を用いた判定処理を示す説明図であり、（ａ）は、物体の重心位置の例であり、（ｂ）は物体の重心を用いた判定例を示す図である。図１２（ａ）中には、物体の重心位置が示されており、通り抜け可否検出部６５は、物体の底辺からの物体の高さＨと重心位置の高さＬとに基づき、物体の足元が、気流が通り抜けられるか形状であるか否かを判定する。
【００６６】
具体的には、通り抜け可否検出部６５は、物体の重心位置の高さＬの物体の高さＨに対する割合が、所定値（例えば、７０％）以上である場合に脚長家具と判定し、気流が通り抜けできると推定する。また、通り抜け可否検出部６５は、物体の重心位置の高さＬの物体の高さＨに対する割合が、所定値未満である場合に脚短家具と判定し、気流が通り抜けできないと推定する。すなわち、物体の重心位置の高さＬと物体の高さＨを比較し、物体の重心位置の高さＬが物体の高さＨに対して所定の比率以上である場合に、気流（風）が通り抜けできる形状であると判断する。
【００６７】
図１２（ｂ）には、図１１で検出されたセル（占有面積の記号が２から５）に対して、判定結果が、通り抜け可能である場合「１」、通り抜け不可の場合「２」として記載されている。マトリクス１２０１、…、マトリクス１２１０の１０回の判定結果に基づき、多数決の結果であるマトリクス１２２０が示されている。この場合、左から２列目から４列目に検出された物体に対し、通り抜け不可として判定されている。一方、右から２列目および３列目に検出された物体に対し、通り抜け可能として判定されている。
【００６８】
図１３は、通り抜け可否検出部の物体の積算面積を用いた判定処理を示す説明図であり、（ａ）は下端からの高さと積算面積の関係を示す図であり、（ｂ）は物体の積算面積を用いた判定例を示す図である。図１３（ａ）の左側の物体の場合、下端からの高さと積算面積とがほぼ線形の関係があるのに対し、図１３（ｂ）の右側の物体の場合、下端からの高さと積算面積とが線形の関係にないのが特徴である。
【００６９】
具体的には、物体の下端から物体の面積を積算していき、積算した面積が物体の全面積の例えば３０％（＝所定値）に達するような高さをＭとする。高さＭの物体の高さＨに対する割合が、所定値（例えば、５０％）以上である場合、通り抜け可否検出部６５は、脚長家具であると判定し、気流が通り抜けることができると推定する。また、通り抜け可否検出部６５は、物体の全面積に対する積算面積が所定値における、物体の下端からの高さＭの物体の高さＨに対する割合が、所定値未満である場合、脚短家具と判定し、気流が通り抜けできないと推定する。
【００７０】
図１３（ｂ）には、図１１で検出されたセル（占有面積の記号が２から５）に対して、判定結果が、通り抜け可能である場合「１」、通り抜け不可の場合「２」として記載されている。マトリクス１３０１、…、マトリクス１３１０の１０回の判定結果に基づき、多数決の結果であるマトリクス１３２０が示されている。この場合、左から２列目から４列目に検出された物体に対し、通り抜け不可として判定されている。一方、右から２列目および３列目に検出された物体に対し、通り抜け可能として判定されている。
【００７１】
図１４は、各種家具の下端からの高さによる積算面積の割合を示す説明図である。横軸は下端から上端までの距離の割合を示し、縦軸は下端からの積算面積の全面積に対する割合を示す。図１４に示す結果から、（１）、（３）、（５）の家具の場合、下端から上端までの距離の割合と、積算面積との割合は単調に比例していることがわかる。これに対し、（２）、（４）、（６）の家具は、下に凸の放物線状の関係がある。
【００７２】
（１）の家具は、脚短家具であり、同様に（５）の家具も脚短の家具（ソファ）である。（３）の家具（チェア）は、足元に車輪部分の領域があり、気流の流れを阻害することがわかる。図１４の結果によれば、積算面線の割合が３０％であって、下端から上端までの距離の割合が５０％以上であるか否かで、足元に気流が通り抜ける形状であるか否かを判別できることがわかる。この結果は、図１３の判定で示したものと同様である。
【００７３】
図２５は、室内の人、障害物の位置および形状の検出を示す概要図であり、（ａ）は室内機から室内をみた画像上の人、障害物の位置および形状を示す図であり、（ｂ）は室内機が設置されている壁からの人、障害物の距離を示す図である。室内は、壁検出部６３で検出された壁３３４，３３５，３３６で構成されている。壁３３１は、室内機１００が設置されている壁であり、壁３３５，３３６は壁３３１の側壁であり、壁３３４は、壁３３１の対向面である壁である。人検出部６２により、室内機１００が設置されている壁３３１から２ｍおよび４．５ｍのところに人が検出できている。また、障害物検出部６４により、テーブル、椅子の障害物が検出できている。後記する気流制御部６６は、室内の人、障害物の位置および形状を立体的にみることにより気流が通る経路に、適切に気流の送風制御（図１６参照）をする。
【００７４】
＜気流制御部＞
最初に本発明の特徴を図２２および図２３を用いて説明する。図２２は、冷房運転時の気流サーキュレーション機能を示す説明図であり、（ａ）は本実施形態の場合、（ｂ）は比較例である。図２３は、冷気だまり（図では、雲形状で表示）を示す説明図であり、（ａ）は本実施形態の場合、（ｂ）は比較例である。適宜図１、図２、図８を参照して説明する。
【００７５】
図２２（ａ）の冷房運転時において、気流制御部６６は、障害物検出部６４で検出した障害物に対して、高さ方向では障害物よりも上方に、且つ、水平方向では障害物を避ける方向に、風向板（左右風向板１０４、上下風向板１０５）を向ける。具体的には、気流制御部６６は、室内の気流が通る経路（例えば、ソファの横）をみつけ、障害物Ｆ１のソファの横に気流を通す。これにより、部屋の空気を撹拌し、冷気だまりが少なくなり、温度ムラを抑える効果がある（図２３（ａ）参照）。これに対し、図２２（ｂ）の比較例の場合、家具等で気流が遮られ、冷気だまりが障害物Ｆ１のソファの後ろ（壁３３４側）と前（壁３３１側）にできて温度ムラが発生している（図２３（ｂ）参照）。
【００７６】
また、図２２（ａ）の場合、気流制御部６６は、壁検出部６３で検出した室内のコーナ間で検出したソファを避ける方向に風向板を向けている。なお、図２２（ａ）の場合、冷房運転時について説明しているがこれに限定されるものではない。例えば、送風運転時、除湿運転時等にも適用することができる。
【００７７】
図１６は、気流制御部の気流モード選択処理を示すフローチャートである。図１７は、気流が通る経路に一時停止制御した場合を示す説明図である。図１８は、室内の障害物の配置に基づき気流が通る経路に一時停止制御を示す説明図である。図１９は、室内のコーナ間外に人を検出した場合の気流制御の例を示す説明図である。図２０は、障害物の下側を気流が通り抜けできる場合の一時停止制御を示す説明図である。図２１は、壁近傍に家具がある場合の一時停止制御を示す説明図である。最初に図１７〜図２１を参照して、各種気流モードを説明する。
【００７８】
図１７は、気流が通る経路に一時停止制御した場合を示す説明図であり、（ａ）は室内の側面図であり、（ｂ）は室内の上面図である。図２５、図２６と同一要素には同一符号を付している。気流制御部６６は、冷房運転時に室内の温度ムラを少なくするため、基本的に壁検出部６３が検出したコーナ間をスイング制御するが、図１７（ａ）に示すように障害物Ｆ１（例えば、ソファ）、障害物Ｆ２（例えば、脚短のテーブル）があると、気流ムラを発生する可能性がある。このため、気流制御部６６は、気流が通る経路に一時停止制御をする。
【００７９】
気流制御部６６は、空気吹出し口１０９ｂ（図２参照）からみて、コーナの右の方向３７７と左の方向３７６のコーナ間で、気流が通り抜け不可の障害物Ｆ１，Ｆ２との間にサーキュレーション可能な気流が通る経路がある場合、その経路に気流を送風する。冷房運転時の場合、気流制御部６６は、図１７（ｂ）に示すように、２方向に風向をわけて一時停止モード（一時停止制御）を選択する。気流１７１，１７２は、空気吹出し口１０９ｂから水平方向に吹出され、室内機１００が設置されている壁３３１の対向面である壁３３４で下方へ方向変更され、障害物Ｆ１，Ｆ２の横を通って送風されている。このサーキュレーション効果により、室内の温度ムラを少なくできる効果がある。
【００８０】
一時停止制御（一時停止モード）からスイング制御に切り換えた場合は、気流１７１の方向と気流１７２の方向との間でスイング制御をするとよい。
【００８１】
図１８は、室内の障害物の配置に基づき気流が通る経路に一時停止制御を示す説明図であり、（ａ）〜（ｃ）は気流が通る経路数による相違である。図１８（ａ）の場合、空気吹出し口１０９ｂからみて、右の方向３７７には障害物Ｆ１，Ｆ２があるため、気流制御部６６は、左の方向３７６のみに一時停止モード（一時停止制御）を選択し、気流１８２が形成される。なお、一時停止制御からスイング制御に切り換えた場合は、気流１８１の方向と気流１８２の方向との間でスイング制御をするとよい。
【００８２】
図１８（ｂ）の場合、空気吹出し口１０９ｂ（図２参照）からみて、コーナの右の方向３７７と左の方向３７６のコーナ間で、気流が通り抜け不可の障害物Ｆ３，Ｆ４との間に、方向３１１を含め３方向にサーキュレーション可能な気流が通る経路がある。この場合、気流制御部６６は、２方向に風向をわけて一時停止モード（一時停止制御）を選択する。気流１８３，１８４は、空気吹出し口１０９ｂから水平方向に吹出され、室内機１００が設置されている壁３３１の対向面である壁３３４で下方へ方向変更され、障害物Ｆ３，Ｆ４の横を通って送風されている。このサーキュレーション効果により、室内の温度ムラを少なくできる効果がある。図１８（ｂ）の場合、２方向に分けて送風するとして説明したが、これに限定させるものではない。例えば、風向板が３区分されており、３方向に送風できる場合は、方向３１１に送風してもよい。なお、一時停止制御からスイング制御に切り換えた場合は、気流１８３の方向と気流１８４の方向との間でスイング制御をするとよい。
【００８３】
図１８（ｃ）の場合、空気吹出し口１０９ｂ（図２参照）からみて、コーナの右の方向３７７と左の方向３７６のコーナ間で、気流が通り抜け不可の障害物Ｆ３，Ｆ４との間に、２方向にサーキュレーション可能な気流が通る経路がある。この場合、気流制御部６６は、２方向に風向をわけて一時停止モード（一時停止制御）を選択する。気流１８６，１８７は、空気吹出し口１０９ｂから水平方向に吹出され、室内機１００が設置されている壁３３１の対向面である壁３３４で下方へ方向変更され、障害物Ｆ３，Ｆ４の横を通って送風されている。このサーキュレーション効果により、室内の温度ムラを少なくできる効果がある。なお、一時停止制御からスイング制御に切り換えた場合は、気流１８５の方向と気流１８７の方向との間でスイング制御をするとよい。
【００８４】
図１９は、室内のコーナ間外に人を検出した場合の気流制御の例を示す説明図であり、（ａ）は一時停止制御の場合の室内の側面図、（ｂ）は（ａ）の上面図、（ｃ）はスイング制御の場合の室内の側面図、（ｄ）は（ｃ）の上面図である。図１９に示す家具である障害物Ｆ１，Ｆ２の配置状況は、図１７と同様である。人Ｍ２が図１９（ｂ）に示すように、コーナの右の方向３７７と左の方向３７６のコーナ間外で検出されている。
【００８５】
冷房運転の場合、気流制御部６６は、図１９（ｂ）に示すように、２方向に風向をわけて一時停止モード（一時停止制御）を選択する。気流１９１，１９２は、空気吹出し口１０９ｂから水平方向に吹出され、室内機１００が設置されている壁３３１の対向面である壁３３４で下方へ方向変更され、障害物Ｆ１，Ｆ２の横を通って送風されている。このサーキュレーション効果により、室内の温度ムラを少なくできる効果がある。
【００８６】
一時停止制御（一時停止モード）からスイング制御に切り換えた場合は、図１９（ｄ）に示す気流１９３の方向と気流１９４の方向との間で、人に風当てするようにスイング制御をするとよい。
【００８７】
図２０は、障害物の下側を気流が通り抜けできる場合の一時停止制御を示す説明図であり、（ａ）は側面図であり、（ｂ）は上面図である。気流制御部６６は、検出された障害物Ｆ５，Ｆ６が気流を通り抜ける形状である場合、図１７と同様に、一時停止モードを選択する。すなわち、冷房運転の場合、気流制御部６６は、図２０（ｂ）に示すように、２方向に風向をわけて一時停止モード（一時停止制御）を選択する。気流２２３，２２４は、空気吹出し口１０９ｂから水平方向に吹出され、室内機１００が設置されている壁３３１の対向面である壁３３４で下方へ方向変更され、障害物Ｆ５，Ｆ６の下を通って送風されている。このサーキュレーション効果により、室内の温度ムラを少なくできる効果がある。
【００８８】
一時停止制御（一時停止モード）からスイング制御に切り換えた場合は、気流２２３の方向と気流２２４の方向との間でスイング制御をするとよい。
【００８９】
図２１は、壁近傍に家具がある場合の一時停止制御を示す説明図であり、（ａ）は側面図、（ｂ）は上面図である。図２１は、図１７と比較すると家具である障害物Ｆ７が配置されている点のみが異なる。この場合、空気吹出し口１０９ｂ（図２参照）からみて、左のコーナの方向３７６ａが検出される。この場合、気流制御部６６は、図２１（ｂ）に示すように、２方向に風向をわけて一時停止モード（一時停止制御）を選択する。気流２２１は、空気吹出し口１０９ｂから水平方向に吹出され、室内機１００が設置されている壁３３１の対向面である壁３３４で下方へ方向変更され、障害物Ｆ１，Ｆ２の横を通って送風されている。一方、気流２２２は、空気吹出し口１０９ｂから水平方向に吹出され、障害物Ｆ７で下方へ方向変更され、障害物Ｆ１，Ｆ２の横を通って送風されている。このサーキュレーション効果により、室内の温度ムラを少なくできる効果がある。なお、壁近傍とは、壁から所定距離以内の意味である。
【００９０】
一時停止制御（一時停止モード）からスイング制御に切り換えた場合は、気流２２１の方向と気流２２２の方向との間でスイング制御をするとよい。
【００９１】
以上説明したように気流モードの選択（図１７〜図２１）の組み合わせは各種の方法があるが、その一例として図１６を参照して、室内に障害物が検出された際に、気流制御部６６の気流モード選択処理を説明する。気流制御部６６は、コーナ間に気流が通り抜け不可の障害物があるか否かを判定し（処理Ｓ６０１）、コーナ間に気流が通り抜け不可の障害物がある場合（処理Ｓ６０１，Ｙｅｓ）、コーナ間と気流が通り抜け不可の障害物との間に気流の通る経路があるか否かを判定する（処理Ｓ６０２）。
【００９２】
気流が通る経路がある場合（処理Ｓ６０２，Ｙｅｓ）、気流制御部６６は、気流の通る経路数を判定し（処理Ｓ６０３）、１方向であれば（処理Ｓ６０３，１方向）、検出方向に一時停止モードを選択し（処理Ｓ６０４、図１８（ａ）参照）、２方向であれば（処理Ｓ６０３，２方向）、２方向に風向を分けて一時停止モードを選択する（処理Ｓ６０５、図１７（ｂ），図１８（ｃ），図１９（ｂ）参照）。また、３方向であれば（処理Ｓ６０３，３方向）、気流制御部６６は、両側方向に風向を分けて一時停止モードを選択する（処理Ｓ６０６、図１８（ｂ）参照）。そして、処理Ｓ６０８に進む。
【００９３】
処理Ｓ６０１において、コーナ間に気流が通り抜け不可の障害物がない場合（処理Ｓ６０１，Ｎｏ）、気流制御部６６は、コーナの方向に風向を分けて一時停止モードを選択し（処理Ｓ６０７、図２０（ｂ）参照）、処理Ｓ６０８に進む。
【００９４】
気流制御部６６は、予め設定された第１の時間が経過したか判定し（処理Ｓ６０８）、第１の時間が経過した場合（処理Ｓ６０８，Ｙｅｓ）、処理Ｓ６１１に進み、第１の時間が経過していない場合（処理Ｓ６０８，Ｎｏ）、処理Ｓ６０１に戻る。
【００９５】
処理Ｓ６１１において、気流制御部６６は、コーナ間外に人が検出されているか否かを判定し、人が検出されている場合（処理Ｓ６１１，Ｙｅｓ）、人に風当てを含むスイングモードを選択し（処理Ｓ６１２、図１９（ｄ）参照））、処理Ｓ６１４に進む。一方、人が検出されていない場合（処理Ｓ６１１，Ｎｏ）、コーナ間でスイングモードを選択し（処理Ｓ６１３）、処理Ｓ６１４に進む。
【００９６】
処理Ｓ６１４において、気流制御部６６は、予め設定された第２の時間が経過したか判定し、第２の時間が経過した場合（処理Ｓ６１４，Ｙｅｓ）、処理Ｓ６０１に戻り、第２の時間が経過していない場合（処理Ｓ６１４，Ｎｏ）、処理Ｓ６１１に戻る。
【００９７】
以上説明したように、本実施形態の気流制御部６６によれば、例えば、第１の時間は２分、第２の時間を５分と設定すると、一時停止モードと、スイングモードとを繰り返すことができる。また、一時停止モードにおいて、室内の気流のサーキュレーションが適切にできるため、室内全体を涼しく、また、温度ムラが発生しない快適な環境を作ることができる。また、冷房運転時だけでなく、除湿運転時、涼快運転時においても適用するとよい。
【００９８】
図２４は、室内の家具配置の具体的な例を示す説明図である。図２４には、室内機１００の空気吹出し口１０９ｂ（図２参照）からみた、キッチンを含むリビングダイニングの一部屋の状況である。壁３３４側の近傍にはシステムキッチンの家具が配置され、その手前にダイニングテーブルが置かれている。また、室内機１００側の近傍には、ソファと脚短のテーブルが置かれている。また、壁３３６側には、窓Ｗがある。この場合、空気吹出し口１０９ｂ（図２参照）からみた右のコーナ３７３ｂに気流を送風すると、システムキッチンの家具が障害物となり気流のサーキュレーションができない。一方、左のコーナ３７３ａに気流を送風すると、障害物がなく気流の経路を確保でき、サーキュレーション機能を十分に達成できる。なお、図２４は、図１８（ａ）に対応する室内の具体的な例である。すなわち、本実施形態では、室内のコーナ、障害物の位置および形状を立体的にみることにより気流が通る経路をみつけ、適切に風向を制御できる顕著な効果を有する。
【００９９】
次に、人検出部６２、壁検出部６３の詳細について説明する。
＜人検出部＞
図２８は、人検出部の人位置判定処理を示すフローチャートである。図２９は、人検出部の人位置判定処理を示す説明図であり、（ａ）〜（ｃ）はそれぞれ具体的な計算について説明する説明図である。まず、人検出部６２（図８参照）は、図２７の撮像処理で取得した左画像、中画像、右画像から人の位置を検出する（処理Ｓ３１）。次に、人検出部６２は、この検出した人の位置に関し、画面上の座標系から実空間の座標系に変換する（処理Ｓ３２）。これにより、室内のどこに人が存在していたかを判定することができる。このようにして、人の実空間の座標を判定すると、人検出部６２は、当該座標の情報を記憶部６７に記憶する（処理Ｓ３３）。
【０１００】
図２９は、図２８の室内の人位置判定処理について詳細に説明する説明図である。図２８の処理Ｓ３２においては、具体的には以下の処理により室内の人の実空間の座標を判定する。まず、人の体の部位のうち、頭部の大きさは、身長、性別に比較的依存しない。そこで、処理Ｓ３１で検出した人ごとに当該人の顔中心の位置を算出するとともに、その頭部の大きさ（縦方向の長さ）Ｄ０を算出する。
【０１０１】
図２９（ａ）は、撮像部１１０の光軸Ｐと垂直面Ｓとの関係を示す説明図である。図２９（ａ）に示すように、撮像部１１０の光軸Ｐは、水平面に対して俯角εを有している。垂直面Ｓは、光軸Ｐに垂直であるとともに、人３９１の顔中心を通る仮想平面である。距離Ｌは、撮像部１１０が有するレンズ（図示せず）の焦点１３１ａと、人３９１の顔中心との距離である。また、室内機１００が設置される壁３３１とレンズの焦点１３１ａとの距離はΔｄである。
【０１０２】
図２９（ｂ）は、画像面に撮像される画像と、実空間に存在する人３９１との関係を示す説明図である。図２９（ｂ）に示す画像面Ｒは、撮像部１１０が有する複数の受光素子（図示せず）を通る平面である。算出した前記の頭部の大きさＤ０に対応する縦方向の画角γyは、以下に示す式（１）で表される。ちなみに、式（１）で角度βy[deg/pixel]は、１ピクセル当たりの画角（ｙ方向）の平均値であり、既知の値である。
【数１】
0006393098.tif 000002
【０１０３】
そうすると、撮像部１１０が有するレンズ（図示せず）の焦点１３１ａから顔中心までの距離Ｌ[m]は、一般的な人の顔の縦方向の長さの平均値をＤ１[m]（既知の値）とすると、以下に示す式（２）で表される。前記したように、俯角εは、前記レンズの光軸が水平面となす角度である。
【数２】
0006393098.tif 000003
【０１０４】
図２９（ｃ）は、前記レンズの焦点から顔中心までの距離Ｌと、画角δx，δyとの関係を示す説明図である。画像面Ｒの中心から画像上の顔中心までのｘ方向、ｙ方向の画角をそれぞれδx，δyとすると、これらは以下に示す式（３）、式（４）で表される。ここで、ｘc，ｙcは、画像内の人３９１の人中心の位置（画像内でのｘ座標、ｙ座標）である。また、Ｔx[pixel]は撮像画面の横サイズであり、Ｔy[pixel]は撮像画面の縦サイズであり、それぞれ既知の値である。
【数３】
0006393098.tif 000004
【０１０５】
したがって、実空間における人中心の位置座標は、以下に示す式（５）〜式（７）によって表される。
【数４】
0006393098.tif 000005
【０１０６】
すなわち、このｘ，ｙ，ｚの各値は図２９に図示のとおりであり、これらの値から室内機１００の空気吹出し口１０９ｂ側からみたＸ方向（図１２の左右方向）、Ｙ方向（図１２の上下方向）、Ｚ方向（図１２に垂直な方向）の座標が求められる。以上の処理により、処理Ｓ３２の処理を実現している。
【０１０７】
＜壁検出部・コーナ方向判定処理＞
図３０は、壁検出部のコーナ方向判定処理を示すフローチャートである。図３１は、壁検出部のコーナ方向判定処理で行う画像処理を示す図であり、（ａ）〜（ｅ）はこの順に画像処理の手順を示している。このコーナ方向判定処理は、図２７の撮像処理が実行されるたびに行う。
【０１０８】
すなわち、図２７の撮像処理で取得した左画像、中画像、右画像をそれぞれ対象として、次のような画像処理を行う。まず、壁検出部６３（図８参照）は、図２７の撮像処理で取得した画像（図３１（ａ）に、その例を示す）からエッジを検出する（処理Ｓ２１）。次に、壁検出部６３は、検出したエッジにフィルタリング処理を行い、所定値以上に太く、所定値以上に長く、且つ、所定値以上に明瞭なエッジのみを残す（処理Ｓ２２）。図３１（ｂ）には、このようにして図３１（ａ）の画像から得られたエッジ３７１を白い線図で示している。次に、壁検出部６３は、各エッジ３７１を、その長さ方向に延長する（処理Ｓ２３）。図３１（ｃ）には、このようにして延長した各エッジ３７１を示している。そして、壁検出部６３は、このように延長した各エッジ３７１の交点（図３１（ｄ）に示す交点３７２）を求める（処理Ｓ２４）。そして、各交点３７２の重心（図３１（ｅ）に示す重心３７３）を求める（処理Ｓ２５）。この重心３７３の座標は、各交点３７２の画像上の基準位置からのＸ方向（横方向）、Ｙ方向（縦方向）の距離の平均をそれぞれ求めることにより算出することができる。そして、この重心３７３の画像上の位置を部屋のコーナ（角部）の位置と推定することができる。これにより、室内のコーナ（重心３７３）の撮像部１１０からみた水平方向の方向がわかるので（前記の左画像、中画像、右画像のうちの何れの画像であるか、その画像中で重心３７３の位置は横方向の基準位置から何ピクセル目にあるかにより、当該方向がわかる）、当該コーナの方向を記憶部６７に記憶（設定）する（処理Ｓ２６）。この場合の記憶処理では、過去の所定回数分（例えば過去１０回分）のみのコーナ（重心３７３）の方向を記憶部６７に蓄積することとし、それより古い情報は削除する。そして、その過去の所定回数分の情報の平均値（移動平均の値）を、最終的なコーナ（重心３７３）の方向として確定し、記憶部６７に記憶する。これは、室内における家具や器物の配置移動により、記憶部６７に蓄積されている情報が示す室内の左右のコーナの方向は時間帯にばらつきを生じる場合があるからである。そのため、前記のとおり平均値を求めることで情報の中に含まれているノイズを除去して、最も確からしい方向を室内の左右のコーナ（重心３７３）の方向とすることができる。以下、重心３７３を適宜コーナ３７３という。処理Ｓ２６により、後記の方向３７６，３７７が設定される。
【０１０９】
なお、図３１（ｅ）の例では、室内機１００が設置されている部屋の引き戸３７４が開いているため、その開口部の奥のエッジが検出されて、重心３７３の位置が同図に示す位置となっている。しかし、引き戸３７４が閉められた状態の画像が撮像された場合であれば、符号３７５またはその近傍の位置が重心３７３となる可能性が高い。
【０１１０】
図１に示すように、撮像部１１０は、空気吹出し口１０９ｂ（図２参照）の長手方向の中央部近傍に位置するので、前記のようにして特定した重心３７３は、空気吹出し口１０９ｂ側からみた室内のコーナとみなすことができる。
【０１１１】
また、壁検出部６３は、図２６に示すように、処理Ｓ２５で求めた部屋のコーナ３７３（室内機１００に向かって左右のコーナ３７３ａ，３７３ｂ。以下、コーナ３７３（コーナ３７３ａ，３７３ｂ）というときは、撮像部１１０でみた空気吹出し口１０９ｂ側からの画像上での重心（図３１（ｅ））を意味する）の方向３７６，３７７のそれぞれの室内機１００の正面の方向３１１からみた角度が何度になるか判断する（処理Ｓ２７）。そして、この角度の小さい方の壁は大きい方の壁より空気吹出し口１０９ｂ側からみて近いと判断する（処理Ｓ２８）。すなわち、方向３７６と方向３１１とがなす角度が方向３７７と方向３１１とがなす角度より小さければ、壁３３６の方が壁３３５（図３２参照）より空気吹出し口１０９ｂ側からみて近いと判断する。方向３７７と方向３１１とがなす角度が方向３７６と方向３１１とがなす角度より小さければ、壁３３５の方が壁３３６より空気吹出し口１０９ｂ側からみて近いと判断する。このような、左右の壁３３６と壁３３５とのうち空気吹出し口１０９ｂ側からみて近いのは、あるいは遠いのはどちらであるかの情報も記憶部６７に記憶する（処理Ｓ２９）。
【０１１２】
図３２は、壁検出部のコーナ方向判定処理での室内の平面を示す説明図である。図２６と同様の構成に対しては、同一符号を付す。図３３を参照して、処理Ｓ２７，処理Ｓ２８の処理を具体的に説明する。まず、角度ａを算出する。これは、撮像部１１０の例えば水平方向の画素数が例えば６４０[pixel]であり、角度ａの範囲の（上下、左右方向の）画素数がβ[pixel]であったとすれば、"６４０[pixel]：β[pixel]＝６０°：ａ°"、"ａ°＝６０°×β[pixel]／６４０[pixel]"から求められる。そして、"Ａ°＝３０°＋ａ°"で角度Ａが求められる（範囲３１２の角度が約６０°で、３０°はその半分）。同様の考え方で、角度ｂを求め、"Ｂ°＝３０°−ｂ°"で角度Ｂが求められる。そして、この例では、"Ａ°＞Ｂ°"であるから、図１８において、壁３３５の方が壁３３６より空気吹出し口１０９ｂ側からみて遠いと判断できる。
【０１１３】
図３３は、壁検出部のコーナ方向判定処理を示す説明図であり、（ａ）は室内の平面図であり、（ｂ）は画像中の重心の決定について説明する説明図である。図２６と同様の構成に対しては、同一符号を付す。図３３（ａ）の平面図で示す室内のように、室内の形状が長方形、正方形ではなく、例えば、室内のコーナ部分３７８が室内側に角柱状に飛び出しているような形状の場合、撮影した画像３７９の例は図３３（ｂ）のようになる。このような場合には、図３３（ｂ）に示すように、コーナ（重心）３７３の候補（符号３７３ｃ）が複数求められることがある。
【０１１４】
このような場合には、複数の候補３７３ｃの画像上の基準位置からのＸ方向（横方向）、Ｙ方向（縦方向）の距離の平均をそれぞれ求めることにより、当該平均後の座標をコーナ（重心）３７３として求めることができる。
【０１１５】
以上の処理により、壁検出部６３は、空気吹出し口１０９ｂ側からみた部屋の左右のコーナ３７３ａ，３７３ｂ（図３２参照）の方向３７６，３７７を的確に判断することができる。また、壁検出部６３は、空気吹出し口１０９ｂ側からみて室内の左右の壁３３５，３３６のうちどちらが近く、どちらが遠いかも判断することができる。
【０１１６】
＜壁検出部・拡がり範囲判定処理＞
図３４は、壁検出部の拡がり範囲判定処理を示すフローチャートである。図３５は、壁検出部の拡がり範囲判定処理での室内配置を示す平面図である。図３４、図３５を参照して、図２８に示した人位置判定処理の結果を用いて室内の拡がりの範囲を判定する処理について説明する。まず、所定時間ｔ１ごとに図２７の撮像処理が行われ、その度に図２８の処理が実行され、その結果が記憶部６７に記憶されている。そこで、壁検出部６３は、前記処理Ｓ３３（図２８参照）により、新たに人の座標情報が記憶部６７に記憶されると（処理Ｓ４１，Ｙｅｓ）、当該人の座標情報から、室内の左右のコーナの方向３７６と方向３７７との間の領域３８３の外側の領域３８１に人の座標が存在するか否かを判断する（処理Ｓ４２）。領域３８１に人の座標が存在するときは（図３５の符号３８２で当該人の例を示している）（処理Ｓ４２，Ｙｅｓ）、当該人のＸ方向の座標（図３５の左右方向）位置を室内機１００に向かって右側の壁３３６（または左側の壁３３５）の位置と推定する（処理Ｓ４３）。これは当該座標に人３８２が位置するということは、壁３３６（または左側の壁３３５）は少なくとも当該座標の位置あるいはさらにその外側にあることになるので、その人３８２の位置を現時点での壁３３６（または左側の壁３３５）の位置とするものである。
【０１１７】
これにより、壁３３６（または壁３３５）の現時点における推定位置がわかるので、室内の各コーナおよび各壁の位置を推定する（処理Ｓ４４）。すなわち、この壁３３６（または壁３３５）の位置のＹ方向を延長していき、コーナの方向３７６（またはコーナーの方向３７７）との交点が現実のコーナ４２２ａ（またはコーナ４２２ｂ）であると推定できる。また、当該コーナ４２２ａ（またはコーナ４２２ｂ）の位置をＸ方向に延長していき、他のコーナの方向３７７（またはコーナ３７６）に達するまでが正面の壁３３４の位置と推定できる。そして、そのコーナの方向３７７（またはコーナ３７６）の方向と交わった位置が他の現実のコーナ４２２ｂ（またはコーナ４２２ａ）であると判定できる。さらに当該位置からＹ方向に延長していった位置が壁３３５及び壁３３６のうちの他方の壁の位置であると推定することができる。
【０１１８】
一方、処理Ｓ４４の後、または、領域３８１に人の座標が存在しなかった場合には（処理Ｓ４２，Ｎｏ）、室内の左右のコーナの方向３７６と方向３７７との間の領域３８３に人の座標が存在するときは（図３５の符号３８４で当該人の例を示している）（処理Ｓ４５，Ｙｅｓ）、当該人のＹ方向の座標位置を室内機１００の正面の壁３３４の位置と推定する（処理Ｓ４６）。これは当該座標に人３８４が位置するということは、壁３３４は少なくとも当該座標の位置あるいはさらにその外側にあることになるので、その人３８４の位置を現時点での壁３３４の位置とするものである。
【０１１９】
これにより、正面の壁３３４の位置がわかるので、室内の各コーナおよび各壁の位置を判断する（処理Ｓ４７）。すなわち、この正面の壁３３４をＸ方向に延長していき、コーナの方向３７６およびコーナの方向３７７との交点が、現実のコーナ４２１ａおよびコーナ４２１ｂであると推定できる。そして、この現実の各コーナ４２１ａ及びコーナ４２１ｂをＹ方向に延長していくと、当該位置が壁３３６および壁３３５であると推定することができる。
【０１２０】
処理Ｓ４７の後、または、室内の左右のコーナの方向３７６と方向３７７との間の領域３８３に人の座標が存在しなかったときは（処理Ｓ４５，Ｎｏ）、処理Ｓ４４および処理Ｓ４７で推定された現実の各コーナおよび各壁の位置のうち、室内機１００側から最も遠いものを各コーナおよび各壁の位置の最終的な判定結果とする（処理Ｓ４８）。
【０１２１】
図３５には、人３８４に基づいて推定される壁３３１，３３４，３３５，３３６の位置をそれぞれ３３１ａ，３３４ａ，３３５ａ，３３６ａ（破線）として示している。同様に、人３８２に基づいて推定される壁３３１，３３４，３３５，３３６の位置をそれぞれ３３１ｂ，３３４ｂ，３３５ｂ，３３６ｂ（実線）として示している。
【０１２２】
この場合、処理Ｓ４４または処理Ｓ４７でしか判定結果が得られなかったときは、当該得られた判定結果（人を複数検出したときは、室内機１００側から最も遠いものの判定結果）を各壁および各コーナの位置の判定結果とする。そして、この判定結果を記憶部６７に記憶する（処理Ｓ４９）。この各壁及び各コーナの情報は所定時間ｔ１ごとに取得するので、この情報の記憶は、所定時間ｔ１ごとに行われる。そして、この情報の記憶は、所定の基準時以後（例えば、直近の過去３０回分）の各壁及び各コーナの情報のうち、壁の位置が室内機１００側から最も遠いものの情報で更新するように行う。これにより、所定の基準時以後に取得した情報のうち、各壁及び各コーナの位置が室内機１００側から最も遠いものの情報が処理Ｓ４９で記憶される。
【０１２３】
なお、このようにして特定した空気吹出し口１０９ｂ側からの室内の左右における現実のコーナ４２１ａ，４２１ｂ，４２２ａ，４２２ｂ（と推定される位置）までのそれぞれの距離も、次のように求められる。すなわち、
"コーナ４２１ａまでの距離＝√（（壁３３６ａまでの距離）2＋（壁３３４ａまでの距離）2）"、
"コーナ４２１ｂまでの距離＝√（（壁３３５ａまでの距離）2＋（壁３３４ａまでの距離）2）"である。コーナ４２２ａまでの距離、コーナ４２２ｂまでの距離も同様に求められる。
【０１２４】
以上説明したように、壁検出部６３は、撮像部１１０で撮影された画像から、風向板の水平方向の向きにおいて、空気吹出し口１０９ｂの前方側の右のコーナの方向と、空気吹出し口１０９ｂの前方側の左のコーナの方向と、人検出部６２で検知した人の位置とに基づいて室内の壁の位置を検知することができる。
【０１２５】
本実施形態では、撮像部１１０の画像を用いた壁検出部６３について説明したが、これに限定されるものではない。例えば、近赤外線を室内に向けて照射し、赤外線透過フィルタ（ＩＲ透過フィルタ）を備えたＣＣＤイメージセンサで撮像し、画像の上方の輝度と、輝度と距離のデータベースとの比較から、側面の壁や正面の壁までの距離を推定してもよい。
【０１２６】
また、近赤外線を複数本の平行線状に室内に向けて照射し、ＩＲ透過フィルタを備えたＣＣＤイメージセンサで撮像し、平行線の間隔の違いから側面や正面の壁までの距離を推定してもよい。
【０１２７】
さらに、撮像部１１０は、室内機１００の前面に据え付けられているとして説明したが、同様の方法で天井に据え付けられる撮像部により、床を検出することで壁を検出してもよい。
【０１２８】
人検出部６２は、撮像部１１０の画像に基づいて人を検知しているがこれに限定されるものではない。例えば、センサ部５０として、赤外線センサ、サーモパイル、サーモグラフィー、焦電型センサ、超音波センサ、騒音センサを使用してもよい。人検出部６２で検出するのは、人の位置に限られず、活動量、生活シーンであってもよい。温度検知センサとしてサーモパイルを用いる場合、例えば横×縦が１×１画素、４×４画素、１×８画素で構成されるサーモパイルとし、前面パネルの左右方向中央の下部に設置するとよい。温度検知センサは、室内の平均的な表面温度に限られず、検出範囲の内の人を除いた領域の室内の表面温度、人の着衣の表面温度、人の皮膚の温度、床や壁や天井の各部の表面温度を検出することができる。
【０１２９】
本実施形態の空気調和機は、気流を吹き出す空気吹出し口１０９ｂと、空気吹出し口１０９ｂから吹き出す気流の風向を変える風向板（例えば、左右風向板１０４、上下風向板１０５）と、室内の表面温度を検出する赤外線センサ（例えば、温度検知部１３０）と、赤外線センサで検出した温度が他の領域に比べて高いまたは低い第１の領域に対して、風向板を第１の領域よりも上方で、且つ、左右方向において第１の領域を避ける方向に向ける気流制御部６６とを有していてもよい。これにより、温気だまりまたは冷気だまりのある領域の近辺に対し、室内の空気を循環させるサーキュレーションを確保することができる。
【０１３０】
本実施形態の空気調和機によれば、室内のコーナ、障害物の位置および形状を立体的にみることにより気流が通る経路をみつけ、図１６に示した各種気流モードにより、適切に風向を制御できる。
【符号の説明】
【０１３１】
４０    リモコン
４１    表示画面
４７    送受信部
５０    センサ部
６０    制御部
６１    撮像制御部
６２    人検出部
６３    壁検出部
６４    障害物検出部
６５    通り抜け可否検出部
６６    気流制御部
６７    記憶部
１００    室内機
１０３    送風ファン
１０４    左右風向板（風向板）
１０５    上下風向板（風向板）
１０６    前面パネル
１０９ｂ    空気吹出し口（吹出し口）
１１０    撮像部
１１１    撮像部本体
１１２    可視光カットフィルタ
１１３    開口部
１１４    フィルタ用モータ（フィルタ可動機構）
１１５    フィルタ用ギア（フィルタ可動機構）
１２０    近赤外線光源
１３０    温度検知部
１４０    足元モニター
２００    室外機
２０２    圧縮機
２０７    プロペラファン
Ａ    空気調和機
【図１】
0006393098.tif 000006
【図２】
0006393098.tif 000007
【図３】
0006393098.tif 000008
【図４】
0006393098.tif 000009
【図５】
0006393098.tif 000010
【図６】
0006393098.tif 000011
【図７】
0006393098.tif 000012
【図８】
0006393098.tif 000013
【図９】
0006393098.tif 000014
【図１０】
0006393098.tif 000015
【図１１】
0006393098.tif 000016
【図１２】
0006393098.tif 000017
【図１３】
0006393098.tif 000018
【図１４】
0006393098.tif 000019
【図１５】
0006393098.tif 000020
【図１６】
0006393098.tif 000021
【図１７】
0006393098.tif 000022
【図１８】
0006393098.tif 000023
【図１９】
0006393098.tif 000024
【図２０】
0006393098.tif 000025
【図２１】
0006393098.tif 000026
【図２２】
0006393098.tif 000027
【図２３】
0006393098.tif 000028
【図２４】
0006393098.tif 000029
【図２５】
0006393098.tif 000030
【図２６】
0006393098.tif 000031
【図２７】
0006393098.tif 000032
【図２８】
0006393098.tif 000033
【図２９】
0006393098.tif 000034
【図３０】
0006393098.tif 000035
【図３１】
0006393098.tif 000036
【図３２】
0006393098.tif 000037
【図３３】
0006393098.tif 000038
【図３４】
0006393098.tif 000039
【図３５】
0006393098.tif 000040